【手続補正書】
【提出日】平成26年8月4日(2014.8.4)
【手続補正１】
【補正対象書類名】特許請求の範囲
【補正対象項目名】全文
【補正方法】変更
【補正の内容】
【特許請求の範囲】
【請求項１】
時分割二重（ＴＤＤ）通信システムにおけるユーザ端末（ＵＥ）が基地局に送信するための受信確認情報ビットをエンコーディングする方法であって、
複数のサブフレームのそれぞれ及び前記ＵＥに対して構成される複数のセルのそれぞれに対して前記受信確認情報ビットを生成するステップと、１つのサブフレームでの１つの受信確認情報ビットは、１つのデータ送信ブロック（ＴＢ）を送信する送信モード（ＴＭ）で構成されるそれぞれのセルに対して生成され、１つのサブフレームでの２つの受信確認情報ビットは、２つのデータＴＢを送信するＴＭで構成されるそれぞれのセルに対して生成され、
前記複数のセルのそれぞれに対する複数の前記サブフレームに対応する受信確認情報ビットをセルインデックス値の昇順に配列して第１のコードワードを生成するステップと、
前記受信確認情報ビットの総数が所定値より少ないか又は同一である場合に前記第１のコードワードをエンコーディングするステップと、
前記受信確認情報ビットの総数が前記所定値より大きい場合に、前記第１のコードワードからの受信確認情報ビットを第２のコードワード及び第３のコードワードに交互方式で配置し、前記第２のコードワード及び前記第３のコードワードをエンコーディングするステップと
を有することを特徴とするエンコーディング方法。
【請求項２】
前記受信確認情報の送信は、物理アップリンク共有チャネルで行われ、前記複数のサブフレームの数は、前記複数の構成されたセルのうちの１つ基地局により送信される少なくとも１つのスケジューリング割り当てでの情報要素により前記ＵＥに通知されることを特徴とする請求項１に記載のエンコーディング方法。
【請求項３】
前記受信確認情報の送信は、物理アップリンク制御チャネルで行われ、前記複数の構成されたセルのうち一つで送信されることを特徴とする請求項１に記載のエンコーディング方法。
【請求項４】
複数の情報ビットを有する他のＵＬ制御情報は、受信確認情報ビットの総数に付加され、受信確認情報ビットの総数及び複数の情報ビットの合計が前記所定値よりさらに大きい場合に、前記合計からの連続情報ビットは、物理アップリンク制御チャネルで第４のコードワード及び第５のコードワードに交互方式で配置され、第４のコードワード及び第５のコードワードがエンコーディングされることを特徴とする請求項１に記載のエンコーディング方法。
【請求項５】
時分割二重（ＴＤＤ）通信システムにおけるユーザ端末（ＵＥ）が受信確認情報ビットを基地局に送信する方法であって、
複数のサブフレームのそれぞれ及び前記ＵＥに対して構成される複数のセルのそれぞれに対して前記受信確認情報ビットを生成するステップと、１つのサブフレームでの１つの受信確認情報ビットは、１つのデータ送信ブロック（ＴＢ）を送信する送信モード（ＴＭ）で構成されるそれぞれのセルに対して生成され、１つのサブフレームでの２つの受信確認情報ビットは、２つのデータＴＢを送信するＴＭで構成されるそれぞれのセルに対して生成され、
上位レイヤーシグナリングにより前記ＵＥを構成することにより複数の前記セルのサブセットにわたって前記受信確認情報ビットに対する空間−ドメインバンドリングを適用するステップと、
前記空間−ドメインバンドリング、複数の前記サブフレームの数、複数の前記セルの数、及び複数の前記セルの数に従って前記受信確認情報ビットの総数を送信するステップと
を有することを特徴とする送信方法。
【請求項６】
前記セルのサブセットは、前記ＵＥを前記セルの数で構成し、前記数をセルインデックス値の降順に従って決定することにより前記基地局を介して暗黙的に決定されることを特徴とする請求項５に記載の送信方法。
【請求項７】
前記ＵＥは、前記受信確認情報ビットの送信が物理アップリンク共有チャネルで行われる場合に空間−ドメインバンドリングを適用し、前記ＵＥは、前記受信確認情報ビットの送信が物理アップリンク制御チャネルで行われる場合に空間−ドメインバンドリングを適用しないことを特徴とする請求項５に記載の送信方法。
【請求項８】
時分割二重（ＴＤＤ）システムにおける基地局と通信する受信確認情報ビットの送信のためのユーザ端末（ＵＥ）装置であって、
複数の構成されたセルのうちの少なくとも１つ及び複数のサブフレームのうちの少なくとも１つを介してデータ送信ブロック（ＴＢ）を受信し、前記受信確認情報ビットを複数のサブフレーム及び複数の構成された前記セルのそれぞれに対して生成し、複数の前記セルのそれぞれに対する複数の前記サブフレームに対応する前記受信確認情報ビットをセルインデックス値の昇順に配列して第１のコードワードを生成するための受信器と、１つのサブフレームでの１つの受信確認情報ビットは、１つのデータ送信ブロック（ＴＢ）を送信する送信モード（ＴＭ）で構成されるそれぞれのセルに対して生成され、１つのサブフレームでの２つの受信確認情報ビットは、２つのデータＴＢを送信するＴＭで構成されるそれぞれのセルに対して生成され、
前記受信確認情報ビットの総数が所定値より小さいか又は同一である場合に前記第１のコードワードをエンコーディングし、前記受信確認情報ビットの総数が前記所定値より大きい場合に前記第１のコードワードからの受信確認情報ビットを第２のコードワード及び第３のコードワードに交互方式で配置し、前記第２のコードワード及び前記第３のコードワードをエンコーディングするためのエンコーダと、
前記第１のコードワードのエンコーディングされた受信確認情報ビット又は前記第２のコードワード及び前記第３のコードワードのエンコーディングされた受信確認情報ビットを送信するための送信器と
を有することを特徴とするユーザ端末装置。
【請求項９】
前記受信確認情報の送信は、物理アップリンク共有チャネルで行われ、複数の前記サブフレームの数は、複数の構成された前記セルのうちの１つ基地局により送信される少なくとも１つのスケジューリング割り当てでの情報要素により前記ＵＥ装置に通知されることを特徴とする請求項８に記載のユーザ端末装置。
【請求項１０】
前記受信確認情報の送信は、物理アップリンク制御チャネルで行われ、前記複数の構成されたセルのうち一つで送信されることを特徴とする請求項８に記載のユーザ端末装置。
【請求項１１】
複数の情報ビットを有する他のＵＬ制御情報は、受信確認情報ビットの総数に付加され、前記受信確認情報ビットの総数及び複数の情報ビットの合計が前記所定値よりさらに大きい場合に、前記合計からの連続情報ビットは、物理アップリンク制御チャネルで第４のコードワード及び第５のコードワードに交互方式で配置され、第４のコードワード及び第５のコードワードがエンコーダに提供され、前記送信は、物理アップリンク制御チャネルで行われることを特徴とする請求項８に記載のユーザ端末装置。
【請求項１２】
時分割二重（ＴＤＤ）システムにおける基地局と通信する受信確認情報ビットの送信のためのユーザ端末（ＵＥ）装置であって、
複数の構成されたセルのうちの少なくとも１つ及び複数のサブフレームのうちの少なくとも１つを介してデータ送信ブロック（ＴＢ）を受信し、前記受信確認情報ビットを複数の前記サブフレームのサブセットのそれぞれ及び複数の構成された前記セルのそれぞれに対して生成し、上位レイヤーシグナリングを介して複数の前記セルのサブセットにわたって前記受信確認情報ビットに対する空間−ドメインバンドリングを適用するための受信器と、１つのサブフレームでの１つの受信確認情報ビットは、１つのデータ送信ブロック（ＴＢ）を送信する送信モード（ＴＭ）で構成されるそれぞれのセルに対して生成され、１つのサブフレームでの２つの受信確認情報ビットは、２つのデータＴＢを送信するＴＭで構成されるそれぞれのセルに対して生成され、
前記空間−ドメインバンドリング、複数の前記サブフレームの数、複数の前記セルの数、及び複数の前記セルの数に従って前記受信確認情報ビットの総数を送信するための送信器と
を有することを特徴とするユーザ端末装置。
【請求項１３】
前記セルのサブセットは、前記ＵＥ装置を前記セルの数で構成することにより前記基地局を介して暗黙的に決定され、前記ＵＥ装置は、前記数をセルインデックス値の降順に従って決定することを特徴とする請求項１２に記載のユーザ端末装置。
【請求項１４】
前記ＵＥ装置は、前記受信確認情報ビットの送信が物理アップリンク共有チャネルで行われる場合に空間−ドメインバンドリングを適用し、前記ＵＥ装置は、前記受信確認情報ビットの送信が物理アップリンク制御チャネルで行われる場合に空間−ドメインバンドリングを適用しないことを特徴とする請求項１２に記載のユーザ端末装置。